(57)【要約】  【課題】  複数本のクラブを持ち運びながらプレイをする不便さと、クラブが干渉しあうための損傷と置き忘れを解決し、複数本が収納できるクラブシャフト最小径部挿入、クラブヘッド固定金具部で収納保持式のゴルフクラブハンドホルダーを提供する。  【解決手段】  クラブシャフト最小径部を上側クラブ収納部と下側クラブ収納部の挿入部から横滑りの要領で挿入し、クラブヘッド固定金物を上収納部と下収納部に個別に収納保持でき、クラブヘッド固定金物側上収納部とクラブヘッド固定金物側下収納は、クラブヘッド１個分の段差があり互いに干渉することがなく持ち運びできる収納部と、取っ手・異形クラブ収納部が、パターのように異形シャフト又はクラブヘッド固定金具がクラブヘッド側スリットより小さい異形クラブを、取っ手・異形クラブ収納部の凹部にクラブ収納ができる取っ手・異形クラブ収納部兼用部で構成する。【選択図】  図１
2010178954.tif 000002
【特許請求の範囲】
【請求項１】
少なくとも１本のゴルフクラブを持ち運びするためのゴルフクラブホルダーであって、前後に開口する少なくとも１本の筒状のクラブ収納部を備え、前記収納部にはクラブ挿入部として側面に開口するスリットが長手方向に延びて形成され、前記クラブ挿入口はゴルフクラブのシャフト最小径部分より大きく、ゴルフクラブのシャフトとヘッドの固定金具の径より小さいスリット幅を有するように形成されていることを特徴とするゴルフクラブハンドホルダー。
【請求項２】
請求項１に記載のゴルフクラブホルダーであって、上下２本以上形成する場合に、クラブヘッド収納位置をクラブヘッド分の段差をつけて形成し、収納されたクラブヘッド間の干渉がないように形成されていることを特徴とするゴルフクラブハンドホルダー。
【請求項３】
請求項１、請求項２に記載のゴルフクラブホルダーであって、前後に開口する筒状の取っ手を請求項１に記載のゴルフクラブ収納部と平行して形成し、請求項２のクラブヘッド収納側に突起物を形成し前記取っ手の一端を突起先に形成、前記取っ手はゴルフクラブのグリップと同等の内径で長手方向に半割し、外径側を請求項１の収納部と相対するように形成され、取っ手が異形クラブ収納部をかねていることを特徴とするゴルフクラブハンドホルダー。
【発明の詳細な説明】
【技術分野】
【０００１】
本発明は、クラブシャフトの最小径部より大きく、クラブヘッド固定金具径より小さい幅のスリットから挿入し、クラブヘッド固定金物部分で保持し、各々のクラブヘッドが干渉しないようにクラブヘッドが個別に収納保持ができ、取っ手が異形クラブ収納部と兼用になった、ゴルフプレイ中に複数本のクラブが持ち運びができるハンドホルダーケースに関するものである。
【背景技術】
【０００２】
従来のゴルフプレーヤーは、セルフプレイの場合ゴルフバッグから取り出した複数本のクラブを束にし、手に持ってプレイをしていた。
ゴルフ用品ホルダーには、ゴルフクラブ、ゴルフボール、ティー、手袋、マーカー等をフック式にゴルフ用品アイテムを纏めたゴルフ用品ホルダーを施したものがある。（例えば、特許文献１参照）
【先行技術文献】
【特許文献】
【０００３】
【特許文献１】特開２００３−７８２
【発明の概要】
【発明が解決しようとする課題】
【０００４】
これは次のような問題があった。
【０００５】
数本のクラブを各自が持ち、１本使用するたびに足元に置いたクラブを集めて持ち運ぶ為にプレイの妨げになっていた。
【０００６】
クラブを置き忘れ、プレイ進行の妨げと紛失があった。
【０００７】
持ち運び途中、クラブを束にして持つ為、シャフトとヘッド部分に傷が入り破損の原因になっていた。
本発明は、これらの欠点をなくすためになされたものである。
【課題を解決するための手段】
【０００８】
少なくとも１本のゴルフクラブを持ち運びするためのゴルフクラブホルダーであって、前後に開口する少なくとも１本の筒状のクラブ収納部を備え、前記収納部にはクラブ挿入部として側面に開口するスリットが長手方向に延びて形成し、クラブ挿入口はゴルフクラブのシャフト最小径部分より大きく、ゴルフクラブのシャフトとヘッドの固定金具の径より小さいスリット幅を有するように形成する。
図１に示すのように、前後に開口し、クラブシャフト最小径部（１３）（参照図４）より大きく、クラブヘッド固定金具（１２）（図４参照）の径より小さいスリットを長手方向にとりクラブシャフト挿入部（１１）とし、スリット部分が相反する様に上下各２本を一体形成し上側クラブ収納部（１）と下側クラブ収納部（２）とする。クラブシャフト最小径部（１３）（図４参照）が横滑りの要領でクラブシャフト挿入部（１１）から挿入でき、クラブシャフト挿入部（１１）の幅がクラブシャフト最小径部（１３）（図４参照）より大きくクラブヘッド固定金具（１２）（図４参照）の径より小さいため、収納しクラブヘッド固定金具（１２）（図４参照）で保持できる。
【０００９】
クラブヘッド収納位置をクラブヘッド分の段差をつけて形成し、収納されたクラブヘッド間の干渉がないように形成する。
図２に示すのように、クラブヘッド固定金物側上側収納部（５）とクラブヘッド接続金物側下側収納部（６）をクラブヘッド１個分段差をつけ、個別に収納保持され各々のクラブヘッドの干渉を防ぐ。
【００１０】
前後に開口する筒状のゴルフクラブのグリップと同等の内径で長手方向に半割した取っ手を上側クラブ収納部と平行して形成し、上側クラブ収納部のクラブヘッド収納側に突起物を形成し、取っ手の一端を突起の先に形成し、外径側を上側クラブ収納部と相対するように形成する。
図１に示すのように、上側クラブ収納部（１）のクラブヘッド固定金物収納側に取っ手支持部（４）になる突起を設け、前後に開口しゴルフクラブのグリップと同等の内径で長手方向に半割にした筒状の一端を突起の先に上部クラブ収納部（１）と同列に外径を上側クラブ収納部（１）に相対して形成し、取っ手・異形クラブ収納部（３）とする。
本発明は、以上のような構成よりなるゴルフクラブシャフトの最小径部から挿入し、クラブヘッド固定金具で収納保持し、取っ手が異形クラブ収納部が兼用となるクラブハンドホルダーである。
【発明の効果】
【００１１】
複数本のクラブが片手で持ち運びが容易にできる。
【００１２】
各クラブのシャフトとクラブヘッドが干渉しないので損傷の恐れが少ない。
【００１３】
クラブヘッドが整理されて収納できクラブ選択が早くできる。
【００１４】
プレイ中、置いたクラブを取り上げた時に一括して持てるので移動の際に置き忘れがない。
【００１５】
図１に示すように、クラブシャフト最小径部が横滑り状態でクラブシャフト挿入部（１１）から挿入できるために収納と取り出しが簡単である。
【００１６】
挿入部幅のクラブヘッド側スリット（９）（図２参照）がクラブヘッド固定金具（１２）（図４参照）の径が小さいため、収納保持でき脱落防止になる。
【００１７】
図１に示すように、クラブが各々個別の上側クラブ収納部（１）と下側クラブ収納部（２）に収納されるのでシャフトに損傷がない。
【００１８】
図２に示すのように、クラブヘッド固定金物側上側収納部（５）とクラブヘッド固定金物側下側収納部（６）がクラブヘッド１個分（約４０ｍｍ）段差がついており、収納保持された時に各々のクラブヘッドの干渉がないので損傷防止になる。
【００１９】
パターのような異形シャフトやクラブヘッド固定金具（１２）（図４参照）がクラブヘッド側スリット（９）（図２参照）より小さい異形クラブ（１６）（図６参照）は、取っ手・異形クラブ収納部（３）（図１参照）に収納できる。
【００２０】
図１に示すように、片側支持になっているために、本案のホルダーを使用しないときは、取っ手・異形クラブ収納部（３）をゴルフクラブケースなどに引っ掛けて保管できる。
【図面の簡単な説明】
【００２１】
【図１】本発明の形態と名称を示した斜視図である。
【図２】本発明の収納部を示した側面図である。
【図３】本発明の収納部を示した断面図であって、図３（ａ）は図２のＢ−Ｂ線における断面図、図３（ｂ）は図２のＡ−Ａ線における断面図である。
【図４】ゴルフクラブの挿入部を示した斜視図である。
【図５】本発明の使用状態を示した斜視図である。
【発明を実施するための形態】
【００２２】
以下、本案の実施の形態について説明する。
【００２３】
図１に示すように、内径約２０ｍｍ、長さ約１３０ｍｍで前後に開口した筒状のものに、クラブシャフト最小径部（１３）（図４参照）より大きく、クラブヘッド固定金具（１２）（図４参照）の径より小さいスリットを長手方向に入れた筒状の収納部品で上側クラブ収納部（１）と下側クラブ収納部（２）を各2本を上下に形成する。
【００２４】
図１に示すように、長手方向に入れたスリットが相反するように形成し、クラブシャフト挿入部（１１）とする。
【００２５】
図２に示すように、クラブシャフト挿入部（１１）（図１参照）のスリット幅は、クラブヘッド側スリット（９）がクラブシャフト最小径部（１３）（図４参照）より大きく、クラブヘッド固定金具（１２）より小さい幅（約１１ｍｍ）とする。
グリップ側スリット（１０）はクラブシャフト最小径部（１３）（図４参照）より大きく、クラブヘッド固定金具（１２）より小さい幅でクラブヘッド側スリット（９）より１ｍｍ程度大きくする（約１２ｍｍ）。
【００２６】
図２に示すように、クラブヘッド固定金物側上側収納部（５）はクラブヘッド固定金物側下側収納部（６）よりクラブヘッド１個分（約４０ｍｍ）の前に出して段差をつけ、グリップ側シャフト上側収納部（７）とグリップ側シャフト下側収納部（８）は揃えて形成する。
この段差が上側クラブ収納部（１）と下側クラブ収納部（２）に収納したクラブのヘッドの干渉防止になる。
【００２７】
形成した２本の上側クラブ収納部（１）（図１参照）の接合部中央に指がゆったりと入る程度（約４０ｍｍ）の突起を垂直に設け、取っ手、異形クラブ収納部（３）（図１参照）の取っ手支持部（４）（図１参照）とし、位置はクラブヘッド接続金物側下側収納部（６）（図２参照）の上辺りとする。（図２、図３参照）
【００２８】
前後に開口しゴルフクラブのグリップと同等の内径で長手方向に半割にした筒状の一端を前記の取っ手支持部（４）（図２参照）の突起先に上部クラブ収納部（１）（図２参照）と同列に外径を上側クラブ収納部（１）（図２参照）に相対して形成し、取っ手・異形クラブ収納部（３）（図２参照）とする。内径約２０ｍｍ、長さ約１００ｍｍ程度。（図２、図３参照）
【実施例】
【００２９】
本案の上側収納部（１）（図１参照）と下側収納部（２）（図１参照）に使用収納するときは、クラブヘッド固定金物側上側収納部（５）（図２参照）とクラブヘッド固定金物側下側収納部（６）（図２参照）を上に向けて取っ手・異形クラブ収納部（３）（図１参照）を持ち、収納保持するゴルフクラブをクラブグリップ（１４）（図４参照）を下にしてクラブヘッド（１５）（図４参照）を持つ。
クラブシャフト最小径部（１３）（図４参照）をクラブシャフト挿入部（１１）（図１参照）に合せ横滑りの要領で挿入し、クラブヘッド固定金物（１２）（図４参照）をクラブヘッド固定金物側上収納部（５）（図２参照）とクラブヘッド固定金物側下収納部（６）（図２参照）に個別に収納保持する。
クラブを取り出すには、クラブヘッド（１５）（図４参照）を持ち、クラブシャフト最小径部（１３）（図４参照）をクラブシャフト挿入部（１１）（図１参照）に合せ横滑りの要領で取り出す。
クラブヘッド固定金物側上収納部（５）（図２参照）とクラブヘッド固定金物側下収納部（６）（図２参照）は、クラブヘッド（１５）（図４参照）１個分の段差がありクラブヘッドが互いに干渉することがなく持ち運びできる。
【００３０】
取っ手・異形クラブ収納部（３）（図１参照）の収納は、パターのような異形シャフト、又はクラブヘッド固定金具（１２）（図４参照）がクラブヘッド側スリット（９）（図２参照）より小さい異形クラブ（１６）（図５参照）を、取っ手・異形クラブ収納部（３）（図３ａ参照）の凹部に乗せ、取っ手とクラブを共に握り持って取っ手兼用収納部になる。
【００３１】
本案のクラブ収納状態は図５を参照。
【産業上の利用可能性】
【００３２】
形状が単純なため、ポロプロピレンなどの樹脂材料を使い、金型成型による製造が可能で大量生産により安価で提供ができる。
【符号の説明】
【００３３】
１  上側クラブ収納部（長≒１３０mm）
２  下側クラブ収納部（長≒９０ｍｍ）
３  取っ手・異形クラブ収納部
４  取っ手支持部
５  クラブヘッド固定金物側上側収納部
６  クラブヘッド固定金物側下側収納部
７  グリップ側シャフト上側収納部
８  グリップ側シャフト下側収納部
９  クラブヘッド側スリット
10  グリップ側スリット
11  クラブシャフト挿入部
12  クラブヘッド固定金具
13  クラブシャフト最小径部
14  クラブグリップ
15  クラブヘッド
16  異形クラブ
【図１】
2010178954.tif 000003
【図２】
2010178954.tif 000004
【図３】
2010178954.tif 000005
【図４】
2010178954.tif 000006
【図５】
2010178954.tif 000007